(57)【要約】【課題】既設の金属折板の屋根材の上に新設の金属折板の屋根材を設置する屋根補修工法において、屋根の断熱性を良好にし、かつ温度変化によりねじ部材に緩みが発生しない構造にすること。【解決手段】既設の屋根材１の山部１０に、弾性を有する厚肉の断熱部材４の上面に大径のねじ部材貫通孔５０を有する金属板５を接合した支持具３を載置し、金属板５の上に摺動可能に重ねた座板６から上記貫通孔５０および断熱部材４を貫通せしめたねじ部材７の下端を既設の屋根材１に螺合して支持具３を固定し、横一線に配列する複数の支持具３の金属板５に長尺状の屋根下地材８を架設固定し、下地材８上に新設の屋根材２をねじ締め固定する。これにより新設の屋根材２からの熱を断熱部材４で遮断し、金属板５を新設の屋根材２の熱伸縮に伴って移動可能とし、金属板５の移動がねじ部材７に影響しないようにした。【選択図】        図２
2008050746.tif 000002
【特許請求の範囲】
【請求項１】
既設の金属折板屋根材の上にこれを被覆する新設の金属折板屋根材を支持具を介して設置する屋根補修工法において、
上記支持具を、合成樹脂からなる弾性を有する厚肉の断熱部材の上面に、大径のねじ部材貫通孔を設けた金属板を重ね合わせ接合した２層構造となし、
上記支持具の金属板上に断熱性の硬質合成樹脂からなる座板を摺動可能に載置し、該座板、上記ねじ部材貫通孔および上記断熱部材を貫通せしめた上記ねじ部材貫通孔よりも小径のねじ部材により上記支持具を既設の金属折板屋根材の山部に締結し、上記支持具の金属板に新設の金属折板屋根材をねじ締め固定する屋根補修工法。
【請求項２】
上記断熱部材として、断熱性合成樹脂の独立気泡発泡体を用いる請求項１に記載の屋根補修工法。
【請求項３】
上記座板の下面に、上記支持具の上記金属板に当接するリブを設けた請求項１または２に記載の屋根補修工法。
【請求項４】
既設の金属折板屋根材の各山部に設けた上記支持具を横一線に配列させ、各支持具を跨ぐようにして断面ほぼハット形の長尺の屋根下地材を各支持具の金属板にねじ締め固定し、上記屋根下地材に新設の金属折板屋根材をねじ締め固定する請求項１ないし３のいずれかに記載の屋根補修工法。
【発明の詳細な説明】
【技術分野】
【０００１】
本発明は、既設の金属折板屋根材の上に新たな金属折板屋根材を固定する屋根補修工法に関する。
【背景技術】
【０００２】
大型工場、倉庫、体育館等の金属折板屋根の屋根材が老朽化したとき、これを撤去して新設の金属折板屋根材を設置すると、工事期間中、工場での操業や倉庫等の使用ができなくなる。そこで、既設の屋根材を撤去することなく、その上に金属製の支持具を介して新設屋根材を設置することが行われている（例えば、下記特許文献１参照。）。
【０００３】
下記特許文献１では、支持具として、既設の金属折板屋根材の山部の傾斜面に対応するハ字状の脚部と、該脚部の上端に下方へ向けたコ字状で新設の金属折板屋根材を受ける受け部とからなり、受け部の上端の受け面に剣先ボルトが立設された金属製の支持具を用い、上記脚部を既設の金属折板屋根材の上記傾斜面に重ね合わせてねじ部材により締結固定し、上記支持具の受け部に新設の金属折板屋根材を上記剣先ボルトにより締結することが提案されている。また特許文献１では、既設の金属折板屋根材の隣接する複数の山部に固定する複数の支持具を、それらの脚部の下端間を架けわたした張出し片で連設することが提案されている。
【特許文献１】特開平８−４２０７０号公報
【発明の開示】
【発明が解決しようとする課題】
【０００４】
ところで、既設の屋根材の上に新設の屋根材を設けて屋根の補修を行うとき、建物内の空調効果をよくするために、既設の屋根材と新設の屋根材との間にシート状のガラスウール等からなる断熱材を介設することが行われる。
【０００５】
しかしながら、既設の屋根材と新設の屋根材との間に断熱材を設けると、既設の屋根材と外気に直接さらされる新設の屋根材との温度差が大きくなり、両屋根材の膨張収縮の差が大きくなって、新設の屋根材の膨張や収縮が繰り返されると、新設の屋根材と支持具とを連結するねじ部材がぐらつく。これにより新設の屋根材や支持具のねじ部材貫通孔が拡開して各部材の締結部でガタツキが生じ、また雨漏りの原因となる。またねじ部材貫通孔まわりに金属疲労が生じる。
【０００６】
また両屋根材の間の空間に上記断熱部材を介在させても、両屋根材はねじ部材および金属支持具で連結されているから、これらを介して新設の屋根材から既設の屋根材へ熱が伝わってしまう。従って断熱効果も充分とはいえない。
【０００７】
そこで本発明は、既設の金属折板屋根材の上に支持具を介して新設の金属折板屋根材を設ける屋根の補修において、既設の屋根材と新設の屋根材との温度差による不具合を解消し、新設の屋根材を既設の屋根材の上にガタツキなく設置でき、かつ断熱効果もよい屋根補修工法を提供することを課題としてなされたものでる。
【課題を解決するための手段】
【０００８】
本発明は、既設の金属折板屋根材の上にこれを被覆する新設の金属折板屋根材を支持具を介して設置する屋根補修工法において、上記支持具を、合成樹脂からなる弾性を有する厚肉の断熱部材の上面に、大径のねじ部材貫通孔を設けた金属板を重ね合わせ接合した２層構造となす。上記支持具の金属板上に断熱性の硬質合成樹脂からなる座板を摺動可能に載置し、該座板、上記ねじ部材貫通孔および上記断熱部材を貫通せしめた上記ねじ部材貫通孔よりも小径のねじ部材により上記支持具を既設の金属折板屋根材の山部に締結し、上記支持具の金属板に新設の金属折板屋根材をねじ締め固定する（請求項１）。
【０００９】
既設の金属折板屋根材に対して新設の金属折板屋根材が熱膨張収縮すると、これとねじ部材により結合された支持具の金属板は、断熱部材が弾性変形することにより新設の屋根材に伴われて変位する。しかしながら支持具を貫通し、下端が既設の屋根材に締結されているねじ部材は、金属板とは大径の貫通孔により金属板とは接触しない。かつ座板は金属板に対して摺動可能である。従って、金属板が変位しても既設の屋根材に締結れているねじ部材はぐらつかない。
【００１０】
新設の屋根材から支持具の金属板へは熱が伝わる。しかし、金属板と既設の屋根材とは支持具の断熱部材により断熱され、更にねじ部材と金属板は座板で断熱されるとともに大径とねじ部材貫通孔で接触しないので、新設の屋根材から既設の屋根材へ熱が伝わらない。
【００１１】
上記断熱部材として、断熱性合成樹脂の独立気泡発泡体を用いる（請求項２）。断熱部材として好適であり、防水性も発揮される。
【００１２】
上記座板の下面に、上記支持具の上記金属板に当接するリブを設ける（請求項３）。リブにより金属板との当接面積を小さくし、金属板に対する座板の摺動性をよくする。
【００１３】
既設の金属折板屋根材の各山部に設けた上記支持具を横一線に配列させ、各支持具を跨ぐようにして断面ほぼハット形の長尺の屋根下地材を各支持具の金属板にねじ締め固定し、上記屋根下地材に新設の金属折板屋根材をねじ締め固定する（請求項４）。屋根下地材により新設の屋根材を安定に設置できる。
【発明を実施するための最良の形態】
【００１４】
図１に示すように、既設の金属折板屋根材（以下、単に既設の屋根材という）１は山部１０と谷部１１が互いに平行に連続的に形成された波板で、母屋Ｍに載置固定されている。既設の屋根材１は、母屋Ｍの上面に設置固定された図略のタイト部材を介してねじ締め固定されている。
【００１５】
新設の金属折板屋根材（以下、単に新設の屋根材という）２は既設の屋根材の山部１０と頂端位置を一致せしめた小型の山部２０が谷部２１を介して形成されている。新設の屋根材２は、既設の屋根材１の山部１０に支持具３を固定し、これらの支持具３の上に金属屋根下地材８を設置し、この下地材８上に設置してある。
【００１６】
新設の屋根材２の軒先は下方へ向けて湾曲形成してあり、軒先に沿って長尺のＬ字レール２７を設け、これに吊り下げ金具２８を介して雨樋２９が設けられる。
【００１７】
図２に示すように、支持具３は厚さ約２５〜３５ｍｍの厚肉で弾性を有する合成樹脂の断熱部材４と、その上面に重ね合わせた金属板５とで２層構造をなす。断熱部材４は、断熱性合成樹脂の独立気泡発泡体、例えば発泡ウレタン等の独立気泡発泡体で構成してある。硬度は３５度程度としてある。断熱部材４は、既設の屋根材１の山部１０の上面部に合わせて幅ほぼ４０ｍｍ程度、長さほぼ１３０ｍｍ程度の直方体に形成してある。
【００１８】
金属板５は、断熱部材４の上面と合致する長方形状の平板で、厚さ約２．３ｍｍの鋼板で構成してある。金属板５の中央には直径２０ｍｍ程度の大径のねじ部材貫通孔５０が形成してある。金属板５は断熱部材４の上面に重ね合わせて接着してある。尚、断熱部材４にも金属板５のねじ部材貫通孔５０と同軸に貫通孔４０が形成してあり、貫通孔４０の孔径は支持具３を既設の屋根材１に締結するねじ部材７（金属板用ドリルビス、ねじ軸径約６ｍｍ）のねじ軸を貫通可能な程度にしてある。
【００１９】
支持具３には金属板５の上面に硬質合成樹脂の座板６を載置してある。座板６は、金属板５のねじ部材貫通孔５０を覆う大きさで、縦３０ｍｍ、横５０ｍｍ程度の角形に形成してあり、中央にねじ部材７のねじ軸を貫通可能な貫通孔６０が形成してある。また座板６には、横方向に沿う両側縁に下方へ突出するリブ６１，６１が形成してある。両リブ６１，６１は断面半円形に形成してあり、約２ｍｍ下方へ突出してある。尚、座板６は上面側にも両側縁沿いにリブ６１，６１が形成してあり、表裏の区別なく使用できるようにしてある。
【００２０】
支持具３は、座板６を金属板５の上面にその長手方向に対して直交方向とし、座板６下面の両側縁のリブ６１，６１を金属板５のねじ部材貫通孔５０まわりに当接せしめて載置し、上方よりねじ部材７を座板６、金属板５、断熱部材４の各貫通孔６０，５０，４０に一連に貫通せしめてある。
【００２１】
図１ないし図４に示すように、支持具３は、断熱部材４の下面を既設の屋根材１の山部１０頂面にその長手方向に沿って重ね合わせて載置し、支持具３を貫通するねじ部材７の先端を山部１０上面にねじ込んで固定する。この場合、ねじ部材７を必要以上に強く締め付けると断熱部材４が潰れ変形するので、断熱部材４が潰れ変形しない程度に、ねじ部材７の締め付け時の締め付けトルクを設定しておく。また、座板６は金属板５に対して下面のリブ６１，６１のみが当接しているので、座板６と金属板５とは相対摺動可能である。
【００２２】
また支持具３は、既設の屋根材１の複数の山部１０に、かつ各山部１０と直交する方向で直線位置に複数配列固定する。そして配列した複数の支持具３には、これらに沿って、既設の屋根材１の横方向に延びる長尺の屋根下地材８を固定する。支持具３は、既設の屋根材１の各山部１０に設置してもよいし、山部１０の数列おきに設置してもよい。
【００２３】
下地材８は凸部８１とその両側から張り出すフランジ部８２とで断面ほぼハット形をなす。下地材８は、各支持具３の金属板５と直交して金属板５上の座板６およびねじ部材７の頭部を跨ぎ、両側のフランジ部８２が金属板５の長手方向両端部分に載置される。そして、上記フランジ部８２に上から金属板用ドリルビスタイプのねじ部材８５を金属板５にねじ込んで下地材８を支持具３に固定する。
【００２４】
このようにして既設の屋根材１上に、複数本の下地材８を互いに平行に配列し、これら下地材８上に新設の屋根材２を載置固定する。これに先立ち、既設の屋根材１の上にガラスウール等からなる厚肉のシート状の断熱材Ｓを敷設する。新設の屋根材２の固定構造は図３，図４に示すように、新設の屋根材２の山部２０を上から下地材８の凸部８１頂面へ長めの金属板用ドリルビスタイプのねじ部材２５をねじ込むことにより行なう。この場合、ねじ部材２５の頭部と山部２０との間に裏面にシール材を有する座金２６を介在させる。
【００２５】
上記の屋根補修工法においては、既設の屋根材１上に多数の支持具３を設置するが、用いる支持具３は小型かつ軽量であり、コストが安価ですむ。
【００２６】
新設の屋根材２が外気温により熱膨張収縮すると、図３（Ａ）、（Ｂ）および図４（Ａ）、（Ｂ）に示すように、新設の屋根材２とねじ部材２５により結合された屋根下地材８および該下地材８にねじ部材８５により結合された支持具３の金属板５は、断熱部材４の弾性変形により新設の屋根材２と連動して移動する。この場合、座板６、支持具３を貫通し下端が既設の屋根材１に締結されているねじ部材７は、弾性変形する断熱部材４とは接触しているが、金属板５とは大径の貫通孔５０により接触せず、かつ座板６は金属板５と摺動するから、ねじ部材７は金属板５の移動に影響されず、既設の屋根材１に対してぐらつかない。従って既設の屋根材１との締結部で緩みや損傷は生じない。
【００２７】
一方、断熱効果については、外気温は新設の屋根材２から下地材８を介して支持部３の金属板５に伝わる。しかしながら、金属板５と既設の屋根材１とは断熱部材４により熱的に遮断されている。また金属板５とねじ部材７とは非接触であり、金属板５とねじ部材７は座板６を介して接続しているが、座板６は断熱材により形成されている。従ってねじ部材７と金属板５とは熱的に遮断されている。このように新設の屋根材２から既設の屋根材１へは両屋根材２，１間に介在する部材を通して熱が伝達されることはない。
【００２８】
なお、両屋根材２，１間の断熱は両屋根材２，１間の空間部に断熱シートＳを敷設することにより一層完全に発揮される
【００２９】
次に図５、図６に基づいて本発明の他の実施形態を説明する。既設の金属折板屋根には複数の既設の屋根材１Ａの側縁を山部１０の頂部でハゼ継ぎされた構造のものがあり、この場合は山部１０にハゼ継ぎ部１０Ａが突出しいる。本実施形態では既設のハゼ継ぎの屋根に新たな金属折板屋根材３を設置する補修工法を示す。
【００３０】
本実施形態の工法は、既設の屋根材１にその山部１０のハゼ継ぎ部１０Ａを覆うブラケット９を介して支持具３を載置する。ブラケット９は、平坦な上面部９１とその左右の両側縁からそれぞれ斜め下方へ延びる傾斜部９２，９２とを備えた断面ほぼ山形の金属板で構成してある。
【００３１】
ブラケット９は、その上面部９１で既設の屋根材１の山部１０の上部およびハゼ継ぎ部１０Ａを上方から覆うとともに、左右の両傾斜部９２，９２を既設の屋根材１の傾斜面に重ね合わせて、両傾斜部９２，９２を金属板用ドリルビス９３，９３により締結固定してある。このようにして設置したブラケット９の上面部９１に先の実施例に用いたと同じ支持具３を載置し、ねじ部材７により支持具３を締結固定する。そして先の実施形態と同様に、支持具３に下地材８を固定し、下地材８を介して新設の屋根材（図略）を設置する。
【００３２】
本実施形態によれば、ブラケット９を介して既設のハゼ継ぎ式の屋根材１に支持具３を安定に設置でき、新設の屋根材を好適に設置することができる。新設の屋根材と既設の屋根材との間の断熱性も発揮される。
【００３３】
ハゼ継ぎ式の屋根材に用いるブラケットとしては、上記ブラケット９に限らず、既設の屋根材の山部およびハゼ継ぎ部を覆い、かつ支持具を載置する平坦な状面部を有するものであればよい。
【図面の簡単な説明】
【００３４】
【図１】本発明の工法による補修屋根の全体構成を示す説明図である。
【図２】本発明の工法に用いる支持具を示す分解斜視図である。
【図３】上記補修屋根の横方向に沿う断面を示すもので、図３（Ａ）は通常状態の断面図、図３（Ｂ）は新設の屋根材の熱膨張収縮した状態を示す断面図である。
【図４】図３に対応して上記補修屋根の縦方向に沿う断面を示すもので、図４（Ａ）は通常状態の断面図、図４（Ｂ）は新設の屋根材の熱膨張収縮した状態を示す断面図である。
【図５】本発明の他の実施形態を示すもので、既設のハゼ継ぎ屋根の補修工法を示す横断面図である。
【図６】上記補修工法のブラケットを用いて支持具を載置した状態を示す要部断面図である。
【符号の説明】
【００３５】
１  既設の金属折板屋根材
１０  山部
２  新設の金属折板屋根材（新設の金属折板屋根材）
２１  山部
３  支持具
４  断熱部材
５  金属板
５０  ねじ部材貫通孔
６  座板
６１  リブ
７  ねじ部材
８  屋根下地材
Ｓ  シート状の断熱部材
【図１】
2008050746.tif 000003
【図２】
2008050746.tif 000004
【図３】
2008050746.tif 000005
【図４】
2008050746.tif 000006
【図５】
2008050746.tif 000007
【図６】
2008050746.tif 000008